(57)【特許請求の範囲】
【請求項１】
管を接続するための迅速管継手であって
(イ)外面に雄嵌合面を有する雄管と
(ロ)内面に雌嵌合面を有するとともに軸方向一端に挿入開口を有し、該挿入開口を通じて該雄管を挿入させて該雄嵌合面を該雌嵌合面に嵌合させる雌管と、
(ハ)前記雌管に装着され、径方向に弾性的に拡開収縮可能であって、収縮状態で該雄管と雌管とを軸方向に抜止状態に結合しロックする一方、拡開状態で該ロックを解除する抜止クリップと
(ニ)該抜止クリップの外側から被さる状態に装着されるカバーと
(ホ)該前記カバーの前記雌管に対する回転方向の位置を規制して該カバーを回り止めする回止め部と
を有していることを特徴とする迅速管継手。
【請求項２】
請求項１において、前記回止め部が、前記カバーと雌管とのそれぞれに設けられて互いに係合し、係合作用によって該カバーを回り止めする係合面を含んでいることを特徴とする迅速管継手。
【請求項３】
管を接続するための迅速管継手であって
(イ)外面に雄嵌合面を有する雄管と
(ロ)内面に雌嵌合面を有するとともに軸方向一端に挿入開口を有し、該挿入開口を通じて該雄管を挿入させて該雄嵌合面を該雌嵌合面に嵌合させる雌管と
(ハ)前記雌管に装着され、径方向に弾性的に拡開収縮可能であって、収縮状態で該雄管と雌管とを軸方向に抜止状態に結合しロックする一方、拡開状態で該ロックを解除する抜止クリップと
(ニ)該抜止クリップの外側から被さる状態に装着されるカバーと
を有しており、前記雌管は前記抜止クリップによる前記雄管との結合部を含む先端側の第１部分と、他部の第２部分とが軸方向に分割構造とされていて、該第１部分が第２部分に対して前記抜止クリップとともに回転可能とされていることを特徴とする迅速管継手。
【請求項４】
請求項１〜３の何れかにおいて、前記抜止クリップが一対の弾性脚と、該弾性脚を一端側で連結する連結部とを有しており、該連結部とは反対側の開口を通じて前記雌管に若しくは該雌管及び雄管に軸直角方向に装着されるものであることを特徴とする迅速管継手。
【請求項５】
請求項４において、前記雌管には一部を周方向に切り欠いて成る切欠部が設けられていて、該切欠部に前記抜止クリップが軸直角方向に装着されていることを特徴とする迅速管継手。
【請求項６】
請求項１〜５の何れかにおいて、前記抜止クリップには、前記雄管の外周面より径方向に突出した突出部に対して該雄管の挿入時に接触し、該雄管の挿入運動に従動して前記抜止クリップを拡開運動させ、該抜止クリップに対して該突出部を抜止位置まで軸方向に移動可能とするカム部が設けてあることを特徴とする迅速管継手。
【請求項７】
請求項１〜６の何れかにおいて、前記カバーには、前記抜止クリップを強制的に拡開運動させて該抜止クリップによる前記雌管と雄管との結合を解除させる解除操作部が、該カバーに対して相対移動する状態で且つ該カバーと一体回転する状態で装着されていることを特徴とする迅速管継手。
【発明の詳細な説明】
【０００１】
【発明の属する技術分野】
この発明は配管を迅速に接続することのできる迅速管継手に関し、詳しくは弾性を有する抜止クリップにて雌管と雄管とを軸方向に結合ロックし、抜け止めする形式の迅速管継手に関する。
【０００２】
【従来の技術】
この種迅速管継手の一例として、図１６に示すようなものが従来公知である。
この例は、水栓器具に給水又は給湯を行うための配管の接続用の管継手の例、詳しくは水栓器具に直接連結されるサプライ管とその上流側配管との接続のための管継手の例である。
【０００３】
図中２００はその水栓器具で、２０２は水栓器具２００に水，湯を供給すべく水栓器具２００に直接連結されたサプライ管である。この例においてサプライ管２０２は可撓管から成っている。
２０４はそのサプライ管２０２と上流側配管とを接続するための迅速管継手であって、雌管としてのソケット部材２０６と抜止クリップ２０８とを含んで構成されている。
【０００４】
図１７はその迅速管継手２０４の構成を詳しく示したものである。
同図に示しているようにソケット部材２０６は、軸方向一端に挿入開口２１２を有しており、更に挿入開口２１２に続いて断面円形の雌嵌合面２１４を有している。また軸方向端の外周面にフランジ部２１６が形成されている。
【０００５】
一方サプライ管２０２には金具から成る端部部材２１８が装着されている。端部部材２１８は雄管２２０を有しており、その雄管２２０がソケット部材２０６の挿入開口２１２を通じてソケット部材２０６内部に挿入された上、外周面の雄嵌合面２２２がソケット部材２０６の雌嵌合面２１４に嵌合され、そしてそれらの間が雄嵌合面２２２に装着されたＯリング２２４によって水密にシールされるようになっている。
ここで雄管２２０においても、ソケット部材２０６におけるのと同様のフランジ部２１６が形成されている。
【０００６】
抜止クリップ２０８は板ばね製のもので略環状をなしており、幅方向中間部に係入溝２２８を有するとともに、周方向の一部が切り欠かれた形態をなしていてその切欠部分が開口２２６を成しており、更にその開口２２６に続いてハの字状に開いた形の案内部２３０が連続して形成されている。
【０００７】
この抜止クリップ２０８は、雄管２２０をソケット部材２０６内部に挿入し、そして一対のフランジ部２１６を合せた状態で、それらフランジ部２１６に対して開口２２６を通じて軸直角方向に弾性的に嵌め合され、それらフランジ部２１６を係入溝２２８に係入させることで、ソケット部材２０６とサプライ管２０２とを軸方向に結合ロックし、抜止状態に締結する。
【０００８】
【発明が解決しようとする課題】
しかしながらこの迅速管継手２０４の場合、抜止クリップ２０８が外部に露出した状態となって配管接続部の美観，外観が悪い問題があり、更に抜止クリップ２０８が突出した状態にあるためメンテナンス作業等に際して誤って手等が当ったときに怪我をする恐れがあり、またその際に抜止クリップ２０８が外れてしまう恐れがある等の問題があった。
【０００９】
そこで抜止クリップ２０８にその外側からカバーを被せるといったことが考えられる。
しかしながらこの場合、カバーが回転可能であるとそのカバーの回転運動に伴って抜止クリップ２０８とカバーとが干渉し、更なるカバーの回転とともに抜止クリップ２０８が押し開かれてしまい、雄管と雌管との接続が外れてしまう恐れが生ずる。
この問題は、抜止クリップが一対の弾性脚とそれらを一端側で連結する連結部を備え、反対側の開口を通じて軸直角方向に装着される形態のものである場合に特に生じ易いが、かかる抜止クリップがそれ以外の形態のものである場合においても生じ得る問題である。
【００１０】
【課題を解決するための手段】
本発明の迅速管継手はこのような課題を解決するために案出されたものである。
而して請求項１のものは、管を接続するための迅速管継手であって、(イ)外面に雄嵌合面を有する雄管と、(ロ)内面に雌嵌合面を有するとともに軸方向一端に挿入開口を有し、該挿入開口を通じて該雄管を挿入させて該雄嵌合面を該雌嵌合面に嵌合させる雌管と、(ハ)前記雌管に装着され、径方向に弾性的に拡開収縮可能であって、収縮状態で該雄管と雌管とを軸方向に抜止状態に結合しロックする一方、拡開状態で該ロックを解除する抜止クリップと、(ニ)該抜止クリップの外側から被さる状態に装着されるカバーと、(ホ)該前記カバーの前記雌管に対する回転方向の位置を規制して該カバーを回り止めする回止め部とを有していることを特徴とする。
【００１１】
請求項２のものは、請求項１において、前記回止め部が、前記カバーと雌管とのそれぞれに設けられて互いに係合し、係合作用によって該カバーを回り止めする係合面を含んでいることを特徴とする。
【００１２】
請求項３のものは、管を接続するための迅速管継手であって、(イ)外面に雄嵌合面を有する雄管と、(ロ)内面に雌嵌合面を有するとともに軸方向一端に挿入開口を有し、該挿入開口を通じて該雄管を挿入させて該雄嵌合面を該雌嵌合面に嵌合させる雌管と、(ハ)前記雌管に装着され、径方向に弾性的に拡開収縮可能であって、収縮状態で該雄管と雌管とを軸方向に抜止状態に結合しロックする一方、拡開状態で該ロックを解除する抜止クリップと、(ニ)該抜止クリップの外側から被さる状態に装着されるカバーとを有しており、前記雌管は前記抜止クリップによる前記雄管との結合部を含む先端側の第１部分と、他部の第２部分とが軸方向に分割構造とされていて、該第１部分が第２部分に対して前記抜止クリップとともに回転可能とされていることを特徴とする。
【００１３】
請求項４のものは、請求項１〜３の何れかにおいて、前記抜止クリップが一対の弾性脚と、該弾性脚を一端側で連結する連結部とを有しており、該連結部とは反対側の開口を通じて前記雌管に若しくは該雌管及び雄管に軸直角方向に装着されるものであることを特徴とする。
【００１４】
請求項５のものは、請求項４において、前記雌管には一部を周方向に切り欠いて成る切欠部が設けられていて、該切欠部に前記抜止クリップが軸直角方向に装着されていることを特徴とする。
【００１５】
請求項６のものは、請求項１〜５の何れかにおいて、前記抜止クリップには、前記雄管の外周面より径方向に突出した突出部に対して該雄管の挿入時に接触し、該雄管の挿入運動に従動して前記抜止クリップを拡開運動させ、該抜止クリップに対して該突出部を抜止位置まで軸方向に移動可能とするカム部が設けてあることを特徴とする。
【００１６】
請求項７のものは、請求項１〜６の何れかにおいて、前記カバーには、前記抜止クリップを強制的に拡開運動させて該抜止クリップによる前記雌管と雄管との結合を解除させる解除操作部が、該カバーに対して相対移動する状態で且つ該カバーと一体回転する状態で装着されていることを特徴とする。
【００１７】
【作用及び発明の効果】
以上のように請求項１は、雄管と雌管とを軸方向に結合しロックする抜止クリップと、その抜止クリップの外側から被さるカバーとを備えた迅速管継手において、そのカバーの雌管に対する回転方向の位置を規制してカバーを回り止めする回止め部を迅速管継手に備えたもので、この請求項１の迅速管継手の場合、カバーが雌管に対して回り防止されているため、そのカバーの回転運動に伴って誤って抜止クリップが開いてしまい、意図せず雄管と雌管とが接続解除されてしまうといったことを防止することができる。
【００１８】
またこの迅速管継手は、抜止クリップに対してその外側から被さるカバーを備えているため、管接続部の美観，外観を良好となすことができるとともに、メンテナンス作業等に際して誤って手等が直接抜止クリップに当るのを防止することが可能であり、従ってメンテナンス作業に際し手等が抜止クリップに当って怪我をする恐れを無くすことが可能となり、またその際に抜止クリップが外れてしまうのを防止すること可能となる。
【００１９】
この場合において上記回止め部は、カバーと雌管とのそれぞれに設けられて互いに係合し、その係合作用によってカバーを回り止めする係合面を含んだものとして構成しておくことができる（請求項２）。
このようにすることで、回止め部を簡単な構成で容易に設けることができる。
【００２０】
次に請求項３は、別の手段にて抜止クリップの開き及びこれによる雄管と雌管との接続の外れを防止するようになしたものである。
詳しくは、この請求項３では雌管を、抜止クリップによる雄管との結合部を含む先端側の第１部分と、他部の第２部分とに軸方向に分割構造となし、そして第１部分を第２部分に対し抜止クリップとともに回転可能となしたもので、この請求項３においても、カバーが回転することによって誤って抜止クリップが開かれてしまい、雄管と雌管との接続が意図せず外れてしまうのを防止することができる。
【００２１】
本発明は、抜止クリップが一対の弾性脚と、それら一対の弾性脚を一端側で連結する連結部とを有しており、その反対側の開口を通じて雌管若しくは雌管及び雄管に軸直角方向に装着される形態のものである場合に適用して特に効果が大である（請求項４）。
抜止クリップがこのような形態のものである場合、特にカバーの回転に伴って抜止クリップが開き運動してしまい易く、従ってこのような抜止クリップを備えた迅速管継手に本発明を適用した場合において特に効果が大である。
【００２２】
この場合において、その雌管に切欠部を設けておいてその切欠部に抜止クリップを軸直角方向に装着しておくことができる（請求項５）。
本発明においては、雄管の挿入時に、その雄管の外周面より径方向に突出した突出部に対して接触し、雄管の挿入運動に従動して抜止クリップを拡開運動させ、抜止クリップに対して突出部を抜止位置まで軸方向に移動可能とするカム部を抜止クリップに設けておくことができる（請求項６）。
【００２３】
このようになした場合、雄管を雌管に挿入して管接続を行うに際し、図１６，図１７に示す従来の迅速管継手のように抜止クリップを雄管及び雌管から予め取り外しておかなくても良く、或いはまた軸直角方向に大きく退避させておかなくても良く、抜止クリップを本来の装着位置に位置させたままで簡単にワンタッチで雄管を雌管に対し嵌め込んで抜止状態に結合作業することが可能となり、管接続の作業が容易である利点が得られる。
【００２４】
次に請求項７のものは、抜止クリップを強制的に拡開運動させて抜止クリップによる雌管と雄管との結合を解除させる解除操作部を、カバーと相対移動する状態で且つカバーと一体回転する状態でそのカバーに装着したもので、このような解除操作部を設けておくことで、抜止クリップによる雄管と雌管との結合を容易に解除でき、ひいては管接続を簡単に解いて雄管を雌管から抜き取ることができる。
【００２５】
一方でこのような解除操作部をカバーに装着しておいた場合、カバーの回転運動に伴って、その解除操作部により爪が押し開かれ易く、従って本発明はこのような解除操作部を備えたものに適用して特に効果が大である。
【００２６】
【実施例】
次に本発明を水栓器具に水，湯を供給するサプライ管とその上流側の供給配管との接続に適用した場合の実施例を図面に基づいて詳しく説明する。
【００２７】
図１において、１０は図示を省略するカウンター等の上面に設置された水栓器具（この例ではシングルレバー式の湯水混合水栓）で、１２は水栓本体、１４はその上部に設けられたシングルレバー式の操作部、１６は水栓本体１２から延び出した吐水管である。
【００２８】
吐水管１６は、水栓本体１２に一体的に構成された管本体１８と、ホース２０とともに引出可能な吐水ヘッド２２とから成っている。
ここで吐水ヘッド２２は先端に吐水口２４を有しており、その吐水口２４から吐水を行うようになっている。
この例において、吐水ヘッド２２は吐水を整流吐水からシャワー吐水若しくはその逆に切換可能なものとされている。
【００２９】
２６は水，湯を水栓本体１２に供給するサプライ管であって、この例においてサプライ管２６は可撓管から成っている。これらサプライ管２６は上端部が水栓本体１２に接続されており、かかる水栓本体１２に対してサプライ管２６，２６を通じ水，湯が供給される。供給された水，湯は水栓本体１２内で混合された上、流出管２８へと流出する。
【００３０】
この流出管２８には上記ホース２０が接続され、流出管２８に流出した混合水がホース２０を通じて吐水ヘッド２２へと導かれる。
尚３０はホースガイドで、３２はストッパである。ホース２０の引出し量は、このストッパ３２がホースガイド３０に当接することによって規定される。
【００３１】
３４は水，湯の供給配管で壁Ｗから室内側に横向きに突き出している。これら一対の供給配管３４の先端部には止水栓３６が設けられている。
止水栓３６は上向きの接続口３８を有している。その接続口３８の外面には雄ねじ４０が形成されている。
この例において、サプライ管２６と供給配管３４とは本例の迅速管継手４２にて互いに接続されている。
【００３２】
図２〜図７にこの迅速管継手４２の具体的構成が示してある。
これらの図に示しているように、本例の迅速管継手４２は、雌管としてのソケット部材４４と、サプライ管２６の端部に装着された金属製の端部部材４６に備えられた雄管４８と、これらとは別体をなした、弾性を有する抜止クリップ５０（図５参照）と、カバー５２とを有している。
雄管４８は、外面に雄嵌合面５４を有しており、そこにシール用のＯリング５６が装着されている。また基端には外向きのフランジ部（突出部）５８が設けられている。
【００３３】
一方ソケット部材４４は、内面に雄嵌合面５４を嵌合させる雌嵌合面６０を有しており、更に軸方向一端に挿入開口６２を有している。
また挿入開口６２と反対側の端部に雌ねじ孔６４を有しており、その雌ねじ孔６４において供給配管３４、詳しくは止水栓３６の接続口３８の雄ねじ４０にねじ結合されている。
ここで雄ねじ４０と雌ねじ孔６４とのねじ結合部は、パッキン６６によって水密にシールされている。
【００３４】
ソケット部材４４には、挿入開口６２の近傍位置においてその一部を周方向に切り欠いて成る一対の切欠部６８が設けられており、そこに抜止クリップ５０が装着されている。
ここで切欠部６８の軸方向の両端面は第１係止面７０，第２係止面７２とされている。
【００３５】
ソケット部材４４にはまた、雄管４８側のフランジ部５８を当接させてその挿入量を規定するストッパ面７４が形成されており、更に雌ねじ孔６４側の端部外面には、図５及び図６に示しているように工具掛部７８が設けられている。
【００３６】
ソケット部材４４にはまた、図３，図５，図６，図７及び図１０に示しているように切欠部６８の図中下側の位置において、段付部７７が外周面に沿って周方向に設けられている。
更にまた図中上端部には、外周部の一部を切り落とした形態の一対の互いに平行な係合面７９が形成されている。
【００３７】
抜止クリップ５０は、図５及び図６に詳しく示しているように板ばね材をＵ字状に曲げて形成したもので、一対の弾性脚８０とそれらを一端側で連結する連結部８２とを有している。
連結部８２とは反対側の端部は嵌込用開口８３とされており、更にその嵌込用開口８３に続いてハの字状に開いた嵌合せ案内部８４が一体に形成されている。
またそれら嵌合せ案内部８４の下端部に、図中下向き即ちソケット部材４４の軸方向に突き出す形態で一対の突起部９０が一体に形成されている。
【００３８】
これら突起部９０は、図５の拡大図に示しているようにソケット部材４４における上記段付部７７とともに、抜止クリップ５０をソケット部材４４の切欠部６８に軸直角方向に装着する際の装着ガイドを成すものである。
【００３９】
この抜止クリップ５０には、一対の弾性脚８０のそれぞれにカム面９４を備えたカム部９２が設けられている。ここでカム面９４は、雄管４８の挿入方向に進むに連れて軸心方向に接近するすり鉢形状の面とされている。
【００４０】
この抜止クリップ５０は、嵌込用開口８３を通じてソケット部材４４の切欠部６８に軸直角方向に嵌め込まれて装着される。このとき、図３及び図７に示すように一対の弾性脚８０が切欠部６８内に位置し、そしてそれら一対の弾性脚８０の前端（図中下端）と後端（図中上端）とが切欠部６８における第１係止面７０と第２係止面７２とに当接することで軸方向に位置規制される。
【００４１】
上記カバー５２は、この例では樹脂製のものであって全体として筒状をなしている。
このカバー５２は、図中下端面が開放形状とされているとともに、上端部には内向きの鍔部９８が設けられていて、その鍔部９８の内側に雄管４８を挿入するための挿入開口１００が設けられている。
尚９６はカバー５２における周壁部を表している。
【００４２】
このカバー５２には、図３，図７及び図９に明らかに示しているように弾性爪１０２が一体に設けられており、これら弾性爪１０２をソケット部材４４の上記段付部７７下面に弾性的に係止させることで、かかるカバー５２がソケット部材４４に対し脱着可能に組み付けられるようになっている。
【００４３】
カバー５２にはまた、図４，図６，図９及び図１１に示しているように周壁部９６から内側に離隔した位置に円弧形状をなす一対の嵌合片１０４，１０６が一体に形成されている。
これら嵌合片１０４，１０６は、カバー５２をソケット部材４４に対し軸方向に嵌め込む際、ソケット部材４４の外周面に嵌合して軸直角方向の位置決めをなしつつ嵌込みガイドをするものである。
即ち本例ではこれら一対の嵌合片１０４，１０６が、カバー５２の嵌込ガイドを構成している。
【００４４】
ここで一対の嵌合片１０４，１０６は、カバー５２の嵌込方向である軸方向に延びる形態でカバー５２に一体に形成されており、また一方の嵌合片１０６は、周方向両端部が連結部１０８にてカバー５２の周壁部９６に連結されている。
【００４５】
図９に示しているようにカバー５２には、ソケット部材４４における上記係合面７９に対応する位置に、対応する形状で切落し形状の平坦な係合面１１０，１１２が鍔部９８側に形成されている。
これら係合面１１０，１１２は、図４（Ａ）に明らかに示しているようにカバー５２の装着状態の下で、ソケット部材４４の一対の係合面７９に係合して、カバー５２のソケット部材４４に対する回転方向の位置を規制し、回転を防止する働きをなす。
【００４６】
即ちこの例では、ソケット部材４４の一対の係合面７９とカバー５２の一対の係合面１１０，１１２とが、カバー５２のソケット部材４４に対する回転方向の位置を規制して回り止めする回止め部を構成している。
【００４７】
図５，図６，図８及び図１１に明らかに示しているように、カバー５２には、詳しくはその周壁部９６には貫通の窓部１１４が設けられており、そこに解除ボタン（解除操作部）１１６が嵌込状態に装着されている。
【００４８】
ここで解除ボタン１１６は、押込操作によって抜止クリップ５０の一対の弾性脚８０を拡開運動させ、抜止クリップ５０によるソケット部材４４とサプライ管２６側の雄管４８との結合ロックを解除するためのものである。
この解除ボタン１１６は、その全体が樹脂製且つカバー５２とは色違いに構成されている。
この解除ボタン１１６は操作力の入力部１１８を有しており、そこに加えられた操作力に基づいてカバー５２内に押し込まれる。
【００４９】
この解除ボタン１１６には、図４及び図８に示しているようにカム面１２０を備えた解除用カム部１２２が設けられ、解除ボタン１１６の押込操作により、図１４に示しているようにカム面１２０のカム作用で抜止クリップ５０の嵌込用開口８３を押し開き、これにより抜止クリップ５０を拡開運動させて、抜止クリップ５０によるソケット部材４４と雄管４８との結合ロックを解除させる働きをなす。
【００５０】
その際、解除ボタン１１６が傾いたりすることなく円滑且つ平行にスライド移動できるように、この解除ボタン１１６とカバー５２とに、かかる解除ボタン１１６の移動案内をなすガイド部が設けてある。
詳しくは、図５，図６及び図８に示しているように解除ボタン１１６には左右方向に突き出すガイド突条（ガイド突部）１２４とガイド溝（ガイド凹部）１２６とが設けられ、またカバー５２の対応する位置にはガイド溝（ガイド凹部）１２８とガイド突条（ガイド突部）１３０とが設けられ、解除ボタン１１６におけるガイド突条１２４とカバー５２におけるガイド溝１２８、更に解除ボタン１１６におけるガイド溝１２６とカバー５２におけるガイド突条１３０とが、解除ボタン１１６の移動方向に摺動可能に嵌合している。
【００５１】
解除ボタン１１６は、それらの案内に基づいて円滑にカバー５２の内外方向にスライド移動する。
尚解除ボタン１１６には引掛部１３２が設けられており、この引掛部１３２が、カバー５２側に設けられた掛止部１３４に掛止することで、解除ボタン１１６がカバー５２から抜け防止される。
【００５２】
次に本例の迅速管継手４２を用いて管接続及び接続解除を行う際の手順を、迅速管継手４２の作用とともに以下に詳述する。
本例では、先ずソケット部材４４を供給配管３４の接続口３８に接続し、更にそのソケット部材４４に対し抜止クリップ５０及びカバー５２を装着した状態としておく。
図１２（Ｉ）はその状態を示している。
【００５３】
このとき、ソケット部材４４に装着されたカバー５２は、ソケット部材４４の一対の係合面７９とカバー５２の一対の係合面１１０，１１２が互いに係合した状態となることによってソケット部材４４に対し回転方向に位置規制され、回止めされた状態となる。
【００５４】
この状態で、図１２（Ｉ），（II）に示しているようにサプライ管２６の端部に装着した端部部材４６、詳しくは雄管４８をカバー５２の挿入開口１００及びソケット部材４４の挿入開口６２を通じてソケット部材４４内部に挿入する。
このとき、挿入の過程で抜止クリップ５０のカム面９４に対し雄管４８のフランジ部５８が接触し、そして更に雄管４８が挿入されると、これに従動してカム面９４のカム作用で抜止クリップ５０の一対の弾性脚８０が拡開運動させられ、抜止クリップ５０に対するフランジ部５８の通過を許容する。
【００５５】
そしてフランジ部５８が抜止クリップ５０を通過し、ソケット部材４４のストッパ面７４に当接したところで、抜止クリップ５０が自身の弾性力に基づいて収縮運動し、弾性脚８０の前端（図中下端）をフランジ部５８に当接した状態となる。ここにおいて雄管４８がソケット部材４４から抜け止めされる。
即ち雄管４８がソケット部材４４に対し、抜止クリップ５０によって抜止状態に結合ロックされる。
図１２（III）はこのときの状態を表している。
【００５６】
図１３及び図１４は、このようにしてソケット部材４４に接続した雄管４８を、ソケット部材４４から抜き出す際の手順及び作用を表している。
雄管４８をソケット部材４４から接続解除するには、図１３（Ｉ）の状態にある解除ボタン１１６を図１３（II）及び図１４（II）に示しているようにソケット部材４４の内部に向けて軸直角方向に押込操作する。
【００５７】
このとき、当初図１４（Ｉ）の状態にあった解除ボタン１１６がカバー５２の内部に押し込まれることによって、解除ボタン１１６の解除用カム部１２２におけるカム面１２０のカム作用で抜止クリップ５０が拡開運動させられ、雄管４８に対するロックを解除する。ここにおいて雄管４８がソケット部材４４に対し抜出し方向に移動可能となる。
そこでサプライ管２６をもって引抜方向に力を加えると、図１３(III)に示しているように雄管４８がソケット部材４４から抜き出され、ここにおいてソケット部材４４と雄管４８との接続が解除状態となる。
【００５８】
以上のような本例の迅速管継手４２は、カバー５２によって管接続部を抜止クリップ５０とともに外側から包んで内部に隠蔽しているため、管接続部の美観，外観を良好に保持することができる。
またメンテナンス作業に際して、誤って手等が直接抜止クリップ５０に当って怪我をしたりする恐れがなく、またその際に抜止クリップ５０が誤ってソケット部材４４及び雄管４８から外れてしまう恐れがない利点を有している。
【００５９】
加えて本例においては、抜止クリップ５０がカム部９２を有していて、雄管４８をソケット部材４４に挿入すると自動的にカム部９２の作用で抜止クリップ５０が拡開運動するため、かかる抜止クリップ５０及びカバー５２をソケット部材４４に装着した状態のまま、雄管４８を単に挿入するだけで簡単に且つ自動的にソケット部材４４に接続作業することができる。
【００６０】
即ち雄管４８をソケット部材４４に接続作業するに際し、予めカバー５２及び抜止クリップ５０を装着位置から外しておく必要がなく、それら抜止クリップ５０及びカバー５２を装着位置に装着した状態のまま、単に雄管４８を軸方向に押し込むだけで管接続を行うことができる。
【００６１】
また本例では、雄管４８をソケット部材４４から抜き出すに際しても、即ち管接続の解除作業をするに際しても、抜止クリップ５０，カバー５２を装着位置から外すことなく、装着状態に保持したまま単に解除ボタン１１６を押込操作するだけで簡単に雄管４８とソケット部材４４との接続を解除操作することができる。
【００６２】
また本例の迅速管継手４０は、カバー５２の内側において抜止クリップ５０によりソケット部材４４と雄管４８とを軸方向に結合しロックしているにも拘わらず、即ち雌管４４と雄管４８とを軸方向に接続しているにも拘わらず、カバー５２がソケット部材４４に対して、ソケット部材４４側の一対の係合面７９とカバー５２側の一対の係合面１１０，１１２とから成る回止め部により回転防止されているため、カバー５２のソケット部材４４に対する回転運動に伴って、誤って抜止クリップ５０が開かれてしまい、意図せず雄管４８とソケット部材４４とが接続解除されてしまうといったことを確実に防止することができる。
【００６３】
本例において、この解除ボタン１１６はカバー５２と一体回転状態でカバー５２に装着されており、従って若しカバー５２がソケット部材４４及び抜止クリップ５０に対し回転可能であると、そのカバー５２の回転運動に伴って解除ボタン１１６が抜止クリップ５０を拡開運動させてしまう恐れがあるが、上記のように本例ではそのカバー５２がソケット部材４４に対し回止めされているため、カバー５２にこのような解除ボタン１１６を設けたにも拘わらず、カバー５２が回転することによってその解除ボタン１１６が抜止クリップ５０を拡開運動させるといったことを確実に防止できる。
【００６４】
図１５は本発明の他の実施例を示している。
この例は、ソケット部材４４を先端側の第１部分４４-1と他部の第２部分４４-2とに軸方向に分割構造となした上、それらを互いに相対回転可能に軸方向に連結してソケット部材４４全体を構成したものである。
【００６５】
ここで第１部分４４-1と第２部分４４-2とは、リング状鋼線１３６にて軸方向に抜け防止されている。
尚鋼線１３６は、第１部分４４-1と第２部分４４-2とのそれぞれに形成した環状溝１３８と１４０間に跨って収容されている。
【００６６】
この図１５の例の場合、第１部分４４-1が第２部分４４-2に対して回転することによって、カバー５２が抜止クリップ５０によるソケット部材４４と雄管４８との締結部に対して、詳しくは抜止クリップ５０を装着したソケット部材４４の第１部分４４-1に対して相対回転するのが防止され、従ってこの例の場合においてもカバー５２が回転することによって誤って抜止クリップ５０が開かれてしまい、雄管４８とソケット部材４４との接続が意図せず外れてしまうのを防止することができる。
【００６７】
以上本発明の実施例を詳述したがこれはあくまで一例示である。
例えば本発明は、抜止クリップとして図１６及び図１７に示す抜止クリップ２０８を備えた迅速管継手２０４に適用することも可能である。
また上例では抜止クリップ５０がソケット部材４４と別体に構成されているが、場合によって抜止クリップ５０をソケット部材４４に、即ち雌管に一体に形成するといったことも可能である。
【００６８】
更にまた、図１６及び図１７に示す形態の抜止クリップ２０８にカム部を設けておき、雄管４８の挿入時にそのカム部の作用で抜止クリップを拡開運動させるようになすといったことも場合により可能である。
その他本発明はその主旨を逸脱しない範囲において種々変更を加えた形態で構成可能である。
【図面の簡単な説明】
【図１】本発明の一実施例の迅速管継手をその適用対象とともに示す図である。
【図２】同実施例の迅速管継手を管接続状態で拡大して示す斜視図である。
【図３】同実施例の迅速管継手を管接続状態で拡大して示す縦断面図である。
【図４】同実施例の迅速管継手を管接続状態で拡大して示す横断面図である。
【図５】同実施例の迅速管継手を各部材に分解して示す斜め上方からの斜視図である。
【図６】同実施例の迅速管継手を各部材に分解して示す斜め下方からの斜視図である。
【図７】同実施例の迅速管継手を各部材に分解して示す縦断面図である。
【図８】同実施例の迅速管継手のカバーと解除ボタンとを取り出して示す斜視図である。
【図９】図８のカバーの斜視図である。
【図１０】同実施例の迅速管継手のソケット部材の単品図である。
【図１１】同実施例の迅速管継手のカバーの単品図である。
【図１２】同実施例の迅速管継手の作用説明図である。
【図１３】同実施例の迅速管継手の管接続解除の際の操作方法を示す説明図である。
【図１４】同実施例の迅速管継手の解除ボタンの作用説明図である。
【図１５】本発明の他の実施例の迅速管継手の断面図である。
【図１６】従来の迅速管継手をその適用対象とともに示す図である。
【図１７】図１５の迅速管継手を拡大して示す図である。
【符号の説明】
４２  迅速管継手
４４  ソケット部材（雌管）
４４-1  第１部分
４４-2  第２部分
４８  雄管
５０  抜止クリップ
５２  カバー
５４  雄嵌合面
５８  フランジ部（突出部）
６０  雌嵌合面
６２，１００  挿入開口
７９，１１０，１１２  係合面
８０  弾性脚
８２  連結部
８３  嵌込用開口
９２  カム面
１１６  解除ボタン（解除操作部）
【図１】
0004068378.tif 000002
【図２】
0004068378.tif 000003
【図３】
0004068378.tif 000004
【図４】
0004068378.tif 000005
【図５】
0004068378.tif 000006
【図６】
0004068378.tif 000007
【図７】
0004068378.tif 000008
【図８】
0004068378.tif 000009
【図９】
0004068378.tif 000010
【図１０】
0004068378.tif 000011
【図１１】
0004068378.tif 000012
【図１２】
0004068378.tif 000013
【図１３】
0004068378.tif 000014
【図１４】
0004068378.tif 000015
【図１５】
0004068378.tif 000016
【図１６】
0004068378.tif 000017
【図１７】
0004068378.tif 000018